(57)【特許請求の範囲】
【請求項１】
複数人のメンバーが楽曲の進行に合わせて団体行動をとるマーチングバンドに用いられる手帳であって、
同一の記載欄が印刷された複数枚の個別リフィルと、
前記個別リフィルに印刷され前記楽曲の部分的な内容を記載する楽曲記載欄と、
前記個別リフィルのうち前記楽曲記載欄と同一面に印刷され、該楽曲記載欄に記載された楽曲の部分に対応する行動の遷移を記載する行動記載欄と、
前記複数枚のリフィルを纏めて保持するホルダー部と
から構成されることを特徴とするマーチングバンド用手帳。
【請求項２】
前記個別リフィルの複数枚分に記載された前記行動の遷移を、統合して記載する全体行動記載欄が記載された全体リフィルをさらに有することを特徴とする請求項１に記載のマーチングバンド用手帳。
【請求項３】
前記手帳は、見開くように開閉する冊子状のバインダー部を備え、
前記バインダー部は、屈曲されて開閉し、その屈曲部分が背表紙となり、この屈曲部分に前記ホルダー部が配置され、
前記背表紙部分には、肩かけ用のストラップが着脱可能に係止される
ことを特徴とする請求項１又は２に記載のマーチングバンド用手帳。
【請求項４】
前記ホルダー部に着脱可能な硬質の板部材であって、該板部材の表裏両面、若しくは表裏のいずれか面に、所定の間隔をもって溝が形成されたマーキングプレートをさらに備えることを特徴とする請求項１乃至３のいずれかに記載のマーチングバンド用手帳。
【請求項５】
複数人のメンバーが楽曲の進行に合わせて団体行動をとるマーチングバンドの計画方法であって、
同一の記載欄が印刷された複数枚の個別リフィルを、ホルダー部に纏めて保持し、前記個別リフィルの楽曲記載欄に、前記楽曲の部分的な内容を記載するとともに、該個別リフィルのうち前記楽曲記載欄と同一面に記載された行動記載欄に、該楽曲記載欄に記載された楽曲の部分に対応する行動の遷移を記載するステップと、
前記ホルダー部に着脱可能な硬質の板部材であって、該板部材の表裏両面、若しくは表裏のいずれか面に所定の間隔をもって溝が形成されたマーキングプレートに、粘着テープを、該溝に直交するように貼り付けるステップと、
前記個別リフィルに記載した前記行動に関する情報を、前記溝の間隔に対応させて、前記マーキングプレートに貼り付けられた状態の前記粘着テープに記入するステップと、
前記マーキングプレートに貼り付けられ、前記行動に関する情報が記載された状態の前記粘着テープを、前記溝に沿って切り分けてマーキングを生成するとともに、前記個別リフィルに記載された行動の遷移に対応させて、前記マーキングを設置するステップと
を有することを特徴とするマーチングバンドの計画方法。
【発明の詳細な説明】
【技術分野】
【０００１】
本発明は、マーチングバンドに用いられる手帳及びマーチングバンドの計画方法に関する。
【背景技術】
【０００２】
従来より、複数人のメンバーが楽曲に合わせて団体行動を取るマーチングバンドが盛んに行われている。このマーチングバンドとは、管楽器、打楽器等で編成された楽団によって行われ、主に隊列を組んで歩きながら演奏又は演技する。このマーチングバンドには、その演奏形式も野外で行われるフィールドドリルや、屋内競技場などの床を使用したフロアドリル等の多種多様な形式がある。
【０００３】
このマーチングバンドは、複数人のメンバーが楽曲に合わせて所定位置から次の定位置へと移動しながらドリル・フォーメーションを展開するものであり、バンド全体としての統一感や、演奏力が重要となっている。そのため、メンバー個人の技術はもとよりメンバー全員のチームワークが必要であり、マーチングバンドの演奏及び演技の完成度を高めるため、各メンバーは日々、練習を行っている。
【０００４】
ところで、ドリル・フォーメーションの展開では、各メンバーによってその立ち位置及び動作方法が異なるため、各メンバーは、自己の立ち位置や動作方法の演奏及び演技に関する情報をノートやメモ帳等に記入して、例えば、手帳等にストラップが係止されたものを肩にかけ、練習中においても立ち位置や動作方法を確認していた（例えば、特許文献１）。
【先行技術文献】
【特許文献】
【０００５】
【特許文献１】実用新案登録第３０８４２１４号
【発明の概要】
【発明が解決しようとする課題】
【０００６】
しかしながら、上述したように、マーチングバンドでは、各メンバーの立ち位置、移動経路等は、楽曲の進行に合わせて刻々と変化するものであり、このような楽曲に合わせた自己の立ち位置及び動作方法等の情報や、バンド全体でのドリル・フォーメーションなどの全体情報をノート等にまとめることは、その作業が煩雑になるとともに、情報が整理されて記載されていないと、実演現場での閲覧が困難となるという問題があった。
【０００７】
そこで、本発明は、上記のような問題を解決するものであり、マーチングバンド等が行うドリル・フォーメーション練習において、各個人の立ち位置や動作方法等の情報を楽曲に合わせて、効率良く検索し閲覧することができ、マーチングバンドのドリル演技の完成精度を向上させることができるマーチングバンド用手帳及びマーチングバンドの計画方法を提供することを目的とする。
【課題を解決するための手段】
【０００８】
複数人のメンバーが楽曲の進行に合わせて団体行動をとるマーチングバンドに用いられる手帳であって、同一の記載欄が印刷された複数枚の個別リフィルと、個別リフィルに印刷され楽曲の部分的な内容を記載する楽曲記載欄と、個別リフィルのうち楽曲記載欄と同一面に印刷され、楽曲記載欄に記載された楽曲の部分に対応する行動の遷移を記載する行動記載欄と、複数枚のリフィルを纏めて保持するホルダー部とから構成される。
【０００９】
このような本発明によれば、手帳に纏められた一枚のリフィルの同一面には、楽曲の部分的な内容を記載する楽曲記載欄と、その楽曲の部分に対応する行動の遷移を記載する行動記載欄とを有しているので、各メンバーは記載欄に楽曲の一部分と、その楽曲部分に応じた、自己の立ち位置や移動経路等の情報を、整理して記載することができる。また、本発明によれば、複数枚分の個別リフィルを、楽曲の進行に合わせて纏めて携帯できることから、楽曲に合わせた自己の立ち位置や移動経路等の情報を効率良く、検索し、閲覧することができる。
【００１０】
また、上記発明において、個別リフィルの複数枚分に記載された行動の遷移を、統合して記載する全体行動記載欄が記載された全体リフィルをさらに有することが好ましい。この場合には、複数枚分の個別リフィルに記載された行動の遷移を容易に確認し、把握することができるので、例えば、楽曲のパート毎における行動の遷移を容易に把握することができ、マーチングバンドにおけるドリルの完成精度を向上させることができる。
【００１１】
また、上記発明において、マーチングバンド用手帳は、見開くように開閉する冊子状のバインダー部を備え、バインダー部は、屈曲されて開閉し、その屈曲部分が背表紙となり、この屈曲部分にホルダー部が配置され、背表紙部分には、肩かけ用のストラップが着脱可能に係止されることが好ましい。この場合には、冊子状のバインダー部には、複数枚分のリフィルを纏めて保持するホルダー部を備えるので、複数枚分のリフィルを冊子状の手帳に纏めることができる。また、バインダー部に肩かけ用のストラップが着脱可能に係止されているので、ユーザーは練習時の携帯が容易になり、即時に楽曲に合わせた自己の行動遷移等をバインダー部を見開いて確認することができる。さらに、本発明は、バインダー式の手帳であるのでリフィルの差し替えができ、例えば、ドリルが一部変更した場合であっても、該当する個別リフィルのみの差し替えによって対応することができる。
【００１２】
さらに、上記発明において、ホルダー部に着脱可能な硬質の板部材であって、該板部材の表裏両面、若しくは表裏のいずれか面に、所定の間隔をもって溝が形成されたマーキングプレートをさらに備えることが好ましい。この場合には、板部材の溝が形成された面に、例えば、粘着テープ等を貼り付け、カッター等を溝に沿って切りつけることで、自己の立ち位置をマークするマーキングを簡易且つ、即時に作成することができる。また、その標的マークを作成するツールと、楽曲に合わせた行動遷移の情報が記載されたリフィタとを、ホルダー部で纏めることができるので、マーチングバンドに必要なツールを一元的に管理することができる。
【００１３】
また、他の発明は、複数人のメンバーが楽曲の進行に合わせて団体行動をとるマーチングバンドの計画方法であって、
（１）同一の記載欄が印刷された複数枚の個別リフィルを、ホルダー部に纏めて保持し、個別リフィルの楽曲記載欄に、楽曲の部分的な内容を記載するとともに、該個別リフィルのうち楽曲記載欄と同一面に記載された行動記載欄に、楽曲記載欄に記載された楽曲の部分に対応する行動の遷移を記載するステップと、
（２）ホルダー部に着脱可能な硬質の板部材であって、該板部材の表裏両面、若しくは表裏のいずれか面に所定の間隔をもって溝が形成されたマーキングプレートに、粘着テープを、該溝に直交するように貼り付けるステップと、
（３）個別リフィルに記載した行動に関する情報を、溝の間隔に対応させて、マーキングプレートに貼り付けられた状態の粘着テープに記入するステップと、
（４）マーキングプレートに貼り付けられ、行動に関する情報が記載された状態の粘着テープを、溝に沿って切り分けてマーキングを生成するとともに、個別リフィルに記載された行動の遷移に対応させて、マーキングを設置するステップと
を有する。
【００１４】
この発明によれば、個別リフィルの楽曲記載欄及び行動記載欄にそれぞれ、情報を記載するとともに、マーキングプレートにより、個別リフィルに記載した行動に関する情報が記載されたマーキングを簡易的に作成し、フロア等に設置するので、マーチングドリルの練習においても、例えば、自己の立ち位置や、動作方法等の個別リフィルに記載した行動に関する情報をマーキングで確認しつつ練習や実演を行う事ができ、マーチングバンドのドリルの完成精度を向上させることができる。
【発明の効果】
【００１５】
以上述べたように、この発明によれば、複数人のメンバーが楽曲の進行に合わせて団体行動をとるマーチングバンドにおいて、団体行動であるドリル・フォーメーション等の練習や実演において、各個人の立ち位置や動作方法等の情報を楽曲に合わせて、効率良く検索し閲覧することができ、その結果、マーチングバンドのドリル演技の完成精度を向上させることができる。
【図面の簡単な説明】
【００１６】
【図１】実施形態に係るマーチングバンド用手帳の構成を示す斜視図である。
【図２】実施形態に係るマーチングバンド用手帳を開拡した状態を示す上面図である。
【図３】実施形態に係るペン収納シートの構成を示す斜視図である。
【図４】実施形態に係るマーキングプレートの構成を示す斜視図である。
【図５】実施形態に係るマーキング作成時の動作を示す説明図である。
【図６】実施形態に係る個別リフィルを示す上面図である。
【図７】実施形態に係る全体リフィルを示す上面図である。
【図８】実施形態に係る識別情報番号記載シートを示す上面図である。
【図９】実施形態に係るマーチングバンドの計画方法を示すフローチャート図である。
【図１０】実施形態に係る個別リフィルの記載例を示す説明図である。
【発明を実施するための形態】
【００１７】
本発明の実施形態について、図面を参照しつつ説明する。図１は、本実施形態に係るマーチングバンド用手帳の構成を示す斜視図であり、図２は、本実施形態に係るマーチングバンド用手帳を開いた状態を示す上面図である。
【００１８】
図１に示すように、マーチングバンド用手帳１は、複数人のメンバーが楽曲の進行に合わせて団体行動をとるマーチングバンドに用いられる手帳であって、見開くように開閉する冊子状のバインダー部１０の背表紙部分に、ホルダー部３０が取付けられた構成され、ホルダー部３０に複数枚のリフィル２０と、マーキングプレート４０と、ペン収納シート６０とが着脱可能に保持されている。
【００１９】
バインダー部１０は、透明または半透明の、アクリルやプラスチックなどの硬質部材で成型された一枚の表紙部材であり、表表紙１１と、裏表紙１３と、背表紙１２とから構成されている。具体的に、バインダー部１０は、図２で示すように表紙部材の中央部分から縦方向へ所定距離離れた位置において、表紙部材に平行な一対の溝状の折り目１５，１５を有し、その一対の折り目１５，１５で折り曲げることで、バインダー部１０が冊子のように開閉されるようになっている。そして、バインダー部１０は、この折り目１５，１５の間が背表紙１２となり、この背表紙１２を挟んだ表表紙１１と裏表紙１３とで構成されている。また、バインダー部１０には、この屈曲部分である背表紙１２の内部にホルダー部３０が取付けられる。
【００２０】
また、バインダー部１０の背表紙１２部分外側には、その両端に、リング状の係止部１４，１４を備え、この係止部１４，１４によって、肩かけ用のストラップ７０が着脱可能に係止されるようになっている。このストラップ７０は、係止部１４に対して着脱自在なフック部７１を有しており、肩に掛けるループ部分の長さを調節可能な長さ調節部材（図示せず）が取り付けられている。これらフック部７１及び長さ調節部材は何れもプラスチック製部材からなり、フック部７１は、係止部１４を介してバインダー部１０に取り付けられ、長さ調節部材は、このフック部７１の取付位置からその他端の折り返し位置に至る範囲に亘って、ストラップの長さを変えるべくスライド自在な状態でストラップ７０に取り付けられている。
【００２１】
ホルダー部３０は、背表紙１２の内部に配置され、複数枚のリフィル２０と、マーキングプレート４０と、ペン収納シート６０とを纏めて保持する保持部材であり、ステンレスなどの金属部材で成形されている。ホルダー部３０には、基部３１から内部方向に突出したリング部材３２を所定間隔離れて備えており、このリング部材３２は、ホルダー部の基部３１の内側に設けられたばね板の付勢により開放状態又は閉鎖状態となるようになっている。このリング部材３２を開放している状態でリフィルの綴り孔２１を挿通させ、リング部材３２を閉止することで、リフィル等が纏められて保持される。
【００２２】
次いで、ホルダー部３０に保持される各部材について説明する。図３は、本実施形態に係るペン収納シート６０の構成を示す斜視図であり、図４は、本実施形態に係るマーキングプレート４０の構成を示す斜視図であり、図５は、本実施形態に係るマーキング作成時の動作を示す説明図である。
【００２３】
ペン収納シート６０は、図３に示すように、可撓性の透明なプラスチィックやビニール等の合成樹脂などで成形され、手帳にペンを収納するシート部材である。ペン収納シート６０は、シートの一方の端部に複数のリング部材３２を挿通させる綴り孔６１が複数設けられ、他方の側面端部に上下方向が貫通した筒形状のペン収納部６２を備えている。
【００２４】
マーキングプレート４０は、自己の立ち位置を確認するためのマーキングシールを作成し保持しておくためのリフィルであり、図４に示すように、ステンレス等の硬質の板部材であって、板部材の表裏両面、若しくは表裏のいずれか面に、所定の間隔をもって溝４２が形成されている。また、マーキングプレート４０にも、一方の側面に複数のリング部材３２に対応した綴り孔４１が複数設けられ、この複数の綴り孔４１にリング部材３２が挿通することで、ホルダー部３０に着脱可能に保持されるようなっている。ここで、マーキングシール８１とは、文字などを記入して貼り付けられるシールであり、リフィル２０に記載された行動の遷移に対応させて、マーキングシール８１をフロア又はフィールド等に設置することで、マーチングの際の目印となる。
【００２５】
マーキングプレート４０を使用した具体的なマーキングシールの作成としては、図５（ａ）に示すように、まず、マーキングプレート４０に、例えばビニールテープなどの粘着テープ８０を溝４２に直交するように貼り付ける。
【００２６】
次いで、図５（ｂ）に示すように、リフィル２０に記載した行動に関する情報である、例えば、メンバーの識別番号や行動順序などを、溝４２の間隔に対応させて、マーキングプレート４０に貼り付けられた状態の粘着テープ８０に記入する。
【００２７】
その後、マーキングプレート４０に貼り付けられ、行動に関する情報が記載された状態の粘着テープ８０を、溝４２に沿って、カッター９０等で切り分けてマーキングシール８１を生成する。マーキングシール８１は、図５（ｃ）に示すように、それぞれ使用時に剥がされ、フロア又はフィールド等の所定場所に設置される。
【００２８】
次いで、リフィル２０について説明する。図６は、本実施形態に係る個別リフィルを示す上面図であり、図７は、本実施形態における全体リフィルを示す上面図であり、図８は、本実施形態に係る識別情報番号記載シートを示す上面図である。
【００２９】
本実施形態において、リフィル２０は、バインダー式のマーチングバンド用手帳１に保持される差し替え可能な用紙であり、マーチングバンドの演奏及び演技に関する情報を記載する欄が印刷されている。このリフィル２０には、個別リフィル２１０と、全体リフィル２２０と、個人識別番号記載リフィル２３０とが含まれる。ここで、これらの各リフィルは、上記同様に、一方の側面に複数のリング部材３２に対応した綴り孔２１が複数設けられ、この複数の綴り孔２１にリング部材３２が挿通することで、ホルダー部３０に着脱可能に保持されるようなっている。
【００３０】
個別リフィル２１０は、同一の記載欄が印刷された差し替え用紙であり、複数枚の個別リフィルがホルダー部３０に纏められることで、楽曲全体に対する情報を集約することができるようになっている。すなわち、個別リフィル２１０は、図６（ａ）及び（ｂ）に示すように、両面印刷されており、表面２１０ａには楽曲記載欄２１１と、行動記載欄２１２とを備え、裏面２１０ｂには全体座標図２１９とが備わっている。
【００３１】
本実施形態において、楽曲記載欄２１１は、個別リフィル２１０に印刷され楽曲の部分的な内容を記載する欄である。具体的には、図６（ａ）に示すように、五線譜２１１ａが印刷されており、ユーザーが楽曲に応じた音符を五線譜に記載するようになっている。この五線譜の長さは、例えば、マーチングの一区切りとなる８小節分となっている。また、行動記載欄２１２は、個別リフィルのうち楽曲記載欄と同一面に印刷され、楽曲記載欄２１１に記載された楽曲の部分に対応する行動の遷移を記載する欄である。具体的には、図６（ａ）に示すように、行動遷移座標図２１７、曲名記載欄２１３、小節記載欄２１４、楽曲拍数記載欄２１５、及びメモ欄２１６、及び頁欄２１８等を備えている。
【００３２】
曲名記載欄２１３は、演奏及び演技する楽曲の曲名を記載する欄であり、小節記載欄２１４は、楽曲記載欄２１１に記載された部分的な楽曲の小節の数を記載する欄である。また、楽曲拍数記載欄２１５は、楽曲記載欄２１１に記載された部分的な楽曲の拍子の数を記載する欄である。メモ欄は、マーチングバンドの演奏及び演技に関する情報を記載する欄であり、例えば、マーチングドリルの動作方法等を記載する。
【００３３】
行動遷移座標図２１７は、楽曲記載欄２１１に記載された楽曲に応じて動作すべき自己の移動経路を記載する直交座標図である。この行動遷移座標図２１７は、座標図の中心点２１７ａを楽曲開始時点の立ち位置とし、縦軸及び横軸方向のマス目２１７ｂの１マスをそれぞれユーザーの一歩分の歩数と見なしている。そして、ユーザーは、楽曲記載欄に記載した楽曲の内容に応じて、中心点２１７ａから該当する移動経路を記載するようになっている。
【００３４】
一方、個別リフィル２１０の裏面２１０ｂには、図６（ｂ）に示すように、全体座標図２１９を備えている。この全体座標図２１９は、マーチングドリルを行うフロア又はフィールドの全体を示す直交座標図であり、中心点２１９ａをフロア又はフィールドの中心とし、縦軸及び横軸方向の１マスをそれぞれユーザーの一歩分の歩数と見なしている。そして、本実施形態においては、この全体座標図２１９に表面２１０ａに記載した楽曲部分のバンド全体におけるドリル・フォーメーションや、全体位置における自己の移動経路を記載するようになっている。また、全体座標図２１９には、中心点２１９ａから縦軸、及び横軸方向に対して、同マス分離れた位置に、標識となるライン線２１９ｂと、マーク２１９ｃとを備えている。
【００３５】
全体リフィル２２０は、個別リフィルの複数枚分に記載された行動の遷移を、統合して記載する全体行動記載欄２２１が記載された用紙である。本実施形態において、全体行動記載欄２２１には、図７に示すように、複数分の個別リフィル２１０に記載された楽曲に関する情報を記載する個別リフィル情報記載欄２２２と、個別リフィルの複数分に記載された移動経路を記載する全体座標図２２３とを有している。
【００３６】
個別リフィル情報記載欄２２２は、記載された個別リフィル２１０の頁数を記載する該当個別リフィル頁欄２２４と、個別リフィル２１０に記載された楽曲の拍子を記載する拍数記載欄２２５と、動作方法等を記載するメモ欄２２６とを備えている。
【００３７】
全体座標図２２３は、マーチングドリルを行うフロア又はフィールドの全体を示す直交座標図であり、中心点２２３ａをフロア又はフィールドの中心部分とし、縦軸及び横軸方向の１マスをそれぞれユーザーの一歩分の歩数と見なしている。そして、本実施形態においては、この全体座標図２２３に個別リフィル２１０の複数分に記載された自己の移動経路を記載するようになっている。なお、この全体座標図２２３においても、フロアの中心部分２２３ａから縦軸、及び横軸方向にライン線２２３ｂが表示されているとともに、一定間隔のマス目に標識となるマーク２２３ｃが表示されている。
【００３８】
そして、この個別リフィル２１０に記載した情報を、個別リフィル情報記載欄２２２及び全体座標図２２３に順番に記載していくことで、例えば、パート毎の楽曲情報と行動情報とを集約できるようになっている。なお、全体リフィル２２０は、横方向に折り目２２７を有しており、この折り目２２７に沿って、全体リフィル２２０を折曲げることで、マーチングバンド用手帳のバインダー部１０から、はみ出すことなく収納することができる。
【００３９】
個人識別番号記載リフィル２３０は、図８に示すように、メンバー個人の識別表示を記載するリフィルであり、本実施形態においては、団体名を記載する団体名記載欄２３１と、自己の氏名を記載する氏名記入欄２３２と、自己の識別番号を記載する識別番号記載欄２３３とを有している。
【００４０】
識別番号記載欄２３３は、上下左右及び一定の斜角に延びた線が相互に交わることでマス目を形成し、その該当するマス目を塗りつぶすことで数字０〜９やアルファベット、その他の記号を記載するようになっており、本実施形態においては、３桁分の数字やアルファベットを記載するようになっている。
【００４１】
また、個人識別番号記載リフィル２３０は、図１に示すように、透明又は半透明であるバインダー部１０の外側から可視できるように、裏表紙１３側の最後端に配置され、識別番号が記載された面を外方に向けてホルダー部３０部に保持されている。これにより、例えば、マーチングバンド用手帳を肩に掛けて練習している場合に、裏表紙１３側が外方に向けて表示されるので、指導者や他のメンバーが個人識別番号を視認することができ、各メンバーを確認することができる。
【００４２】
（マーチングバンドの計画方法）
以上の構成を有するマーチングバンド用手帳を用いることで、マーチンバンドの計画方法を実行することができる。以下に本実施形態に係るマーチングバンドの計画方法を説明する。図９は、本実施形態に係るマーチングバンドの計画方法を示すフローチャート図であり、図１０は、本実施形態に係る個別リフィル２１０の記載例を示す説明図である。
【００４３】
図９に示すように、ユーザーは、複数の個別リフィル２１０のそれぞれの記入欄に演奏又は演技する楽曲の部分的な内容を楽曲記載欄に記載すると共に（Ｓ１０１）、個別リフィルのうち楽曲記載欄２１１と同一面に記載された行動記載欄２１２に、楽曲記載欄２１１に記載された楽曲の部分に対応する行動の遷移を記載する（Ｓ１０２）。
【００４４】
具体的には、図１０（ａ）に示すように、ユーザーは、曲名Ｍ１の一部分の音符を楽曲記載欄２１１に記載するとともに、曲名記載欄２１３に楽曲「Ｍ１」を記載し、小節記載欄２１４にその部分的な楽曲の小節区間である「Ｂ４〜Ｂ５」を記載し、楽曲拍数記載欄２１５にその部分的な楽曲の拍子数である「６拍子」を記載し、メモ欄２１６に移動時における動作タイプである「Ｍｏｖｅタイプ６」を記載する。また、行動遷移座標図２１７には、この楽曲部分の移動経路を、中心点２１７ａから縦軸をマイナス方向に３歩と、横軸をマイナス方向に２歩移動することを記載するとともに、移動後の立ち位置にマーク（Ｐ１）をつける。また、ユーザーが整列する他のメンバーの個人識別番号（Ｎｏ２５，Ｎｏ２６，Ｎｏ３５）を記載する（Ｐ２）。
【００４５】
また、裏面２１０ｂの全体座標図２１９には、図１０（ｂ）に示すように、マーチングバンド全体のドリル・フォーメーションを記載する（Ｐ３）。なお、本実施形態においては、表面２１０ａに記載した移動後のドリル・フォーメーションを記載しており、さらに、移動開始前自己の立ち位置（Ｐ４）と移動開始後の自己の立ち位置（Ｐ５）を座標中に記載する。
【００４６】
なお、本実施形態においては、裏面２１０ｂの全体座標図２１９には、表面２１０ａに記載した移動後のドリル・フォーメーションを記載するようにしたが、これに限定されるものではなく、ユーザーが容易に、情報を管理することができればよく、表面２１０ａに記載した移動前のドリル・フォーメーションを記載してもよい。
【００４７】
そして、ユーザーは、楽曲の順番に沿って、複数の個別リフィル２１０を纏め、綴り孔２１にホルダー部３０のリング部材３２を挿通させ、ホルダー部３０に保持させる（Ｓ１０３）。この際、ユーザーは、複数分の個別リフィル２１０に関する情報を全体リフィル２２０の各記入欄に記載することもできる。
【００４８】
次いで、ユーザーは、マーキングプレート４０を使用して、立ち位置等の目印となるマーキングシール８１を作成する（Ｓ１０４）。
【００４９】
このマーキングの作成では、具体的に、図５（ａ）に示すように、まず、マーキングプレート４０に、例えばビニールテープなどの粘着テープ８０を溝４２に直交するように貼り付ける。次いで、図５（ｂ）に示すように、個別リフィル２１０に記載した行動に関する情報である、自己識別番号を溝の間隔に対応させて、マーキングプレート４０に貼り付けられた状態の粘着テープ８０に記入する。その後、マーキングプレート４０に貼り付けられ、行動に関する情報が記載された状態の粘着テープ８０を、溝４２に沿って、カッター９０等で切り分けてマーキングシール８１を生成する。マーキングシール８１は、図５（ｃ）に示すように、それぞれ使用時に剥がされ、フロア又はフィールド等に貼り付けられる（Ｓ１０５）。
【００５０】
このように、ユーザーは、リフィル２０を複数枚纏めて保持したマーチングバンド用手帳を利用しマーチングバンドの演奏及び演技に関する情報を管理するとともに、練習時には、ストラップ７０を係止し、肩に掛けて持ち運びながら練習する。
【００５１】
（作用・効果）
以上説明した本実施形態によれば、マーチングバンド用手帳１に纏められた一枚の個別リフィル２１０の同一面には、楽曲の部分的な内容を記載する楽曲記載欄２１１と、その楽曲の部分に対応する行動の遷移を記載する行動記載欄２１２とを有しているので、各メンバーは楽曲記載欄２１１，２１２に楽曲の一部分と、その楽曲部分に行動すべき、自己の立ち位置や移動経路等の情報を記載することができるとともに、複数枚分の個別リフィル２１０を纏めて保持することができる。その結果、楽曲に合わせた自己の立ち位置や移動経路等の情報を効率良く自己管理でき、マーチングバンドにおけるドリルの完成精度を向上させることができる。さらに、本実施形態では、バインダー式の手帳であるので、リフィル２０の差し替えが可能となり、ドリルが一部変更した場合であっても、該当する個別リフィル２１０のみの差し替えによって対応することができる。
【００５２】
また、本実施形態では、個別リフィル２１０の複数枚分に記載された行動の遷移を、統合して記載する全体行動記載欄２２１が記載された全体リフィル２２０をさらに有するので、複数枚分の個別リフィルに記載された行動の遷移を容易に確認し、把握することが可能となり、例えば、楽曲のパート毎における行動の遷移を容易に把握し、マーチングバンドにおけるドリルの完成精度を向上させることができる。
【００５３】
また、本実施形態では、マーチングバンド用手帳１は、見開くように開閉する冊子状のバインダー部１０を備え、バインダー部１０の屈曲部分である背表紙１２にホルダー部３０が配置されているので、ホルダー部３０に纏めて保持された複数枚分のリフィル２０を冊子状の手帳として纏めて保持することができる。また、バインダー部１０の背表紙１２部分には、肩かけ用のストラップ７０が着脱可能に係止されているので、ユーザーは、練習時にストラップ７０を肩かけることで携帯が容易になり、即時に楽曲に合わせた自己の行動遷移を確認することができる。
【００５４】
さらに、本実施形態では、ホルダー部３０に着脱可能な硬質の板部材であって、板部材の表裏両面、若しくは表裏のいずれか面に、所定の間隔をもって溝が形成されたマーキングプレート４０をさらに備えるので、板部材の溝４２が形成された面に、例えば、粘着テープ８０等を貼り付け、カッター９０等を溝に沿って切りつけることで、自己の立ち位置をマークするマーキングシール８１を簡易且つ、即時に作成することができる。また、そのマーキングシール８１を作成するツールと、楽曲に合わせた行動遷移の情報が記載されたリフィル２０とを、ホルダー部３０で纏めることができるので、マーチングバンドに必要なツールを一元的に管理することができる。
【符号の説明】
【００５５】
１…マーチングバンド用手帳
１０…バインダー部
１１…表表紙
１２…背表紙
１３…裏表紙
１４…係止部
１５，１５…目
２０…リフィル
２１，４１，６１…綴り孔
３０…ホルダー部
３１…基部
３２…リング部材
４０…マーキングプレート
４２…溝
６０…ペン収納シート
６２…ペン収納部
７０…ストラップ
７１…フック部
８０…粘着テープ
８１…マーキングシール
９０…カッター
２０１ｂ…裏面
２１０…個別リフィル
２１０ａ…表面
２１０ｂ…裏面
２１１…楽曲記載欄
２１１ａ…五線譜
２１２…行動記載欄
２１３…曲名記載欄
２１４…小節記載欄
２１５…楽曲拍数記載欄
２１６…メモ欄
２１７…行動遷移座標図
２１７ｂ…マス目
２１７ａ，２１９ａ，２２３ａ…中心点
２１８…頁欄
２１９，２２３…全体座標図
２１９ｂ，２２３ｂ…ライン線
２１９ｃ，２２３ｃ…マーク
２２０…全体リフィル
２２１…全体行動記載欄
２２２…個別リフィル情報記載欄
２２４…該当個別リフィル頁欄
２２５…拍数記載欄
２２６…メモ欄
２２７…折り目
２３０…個人識別番号記載リフィル
２３１…団体名記載欄
２３２…氏名記入欄
２３３…識別番号記載欄
【図１】
0005412333.tif 000002
【図２】
0005412333.tif 000003
【図３】
0005412333.tif 000004
【図４】
0005412333.tif 000005
【図５】
0005412333.tif 000006
【図６】
0005412333.tif 000007
【図７】
0005412333.tif 000008
【図８】
0005412333.tif 000009
【図９】
0005412333.tif 000010
【図１０】
0005412333.tif 000011